(57)【要約】【課題】抵抗膜式のタッチパネル入力装置において、タッチされた２点による複雑な入力を検出可能とする。【解決手段】微小間隔を置いて対面する状態に配置された２枚の抵抗膜１１、１２と、一方の抵抗膜１１の互いに向き合う２辺の縁部に各々設けられた電極１３、１４からなる第１電極対と、他方の抵抗膜１２の互いに向き合う２辺の縁部に、前記電極１３、１４と直角になる向きに各々設けられた電極１５、１６からなる第２電極対と、第１電極対の間および第２電極対の間に電圧を印加する手段２１と、一方の抵抗膜１１を他方の抵抗膜１２に接触させるようにタッチがなされたとき、第１電極対間および第２電極対間についてタッチ点で分圧された電圧を測定する手段と、前記タッチがなされたとき、第１電極対間および第２電極対間に流れる電流を測定する手段と、測定された電圧および電流の値に基づいて、２つのタッチ点の軌跡を判別する判別手段２２とを設ける。【選択図】図１
2012088762.tif 000002
【特許請求の範囲】
【請求項１】
微小間隔を置いて対面する状態に配置された２枚の抵抗膜と、
一方の抵抗膜の互いに向き合う２辺の縁部に各々設けられた電極からなる第１電極対と、
他方の抵抗膜の互いに向き合う２辺の縁部に、前記電極と直角になる向きに各々設けられた電極からなる第２電極対と、
前記第１電極対の間および第２電極対の間に電圧を印加する手段と、
一方の抵抗膜を他方の抵抗膜に接触させるように２つの点でタッチがなされたとき、第１電極対間および第２電極対間についてタッチ点で分圧された電圧を測定する手段と、
前記タッチがなされたとき、第１電極対間および第２電極対間に流れる電流を測定する手段と、
前記測定された電圧および電流の値に基づいて、２つのタッチ点の軌跡を判別する判別手段とを有することを特徴とするタッチパネル入力装置。
【請求項２】
前記判別手段が、前記分圧された電圧および／または前記電流の変化の方向に基づいて前記軌跡を判別するものであることを特徴とする請求項１記載のタッチパネル入力装置。
【請求項３】
前記判別手段が、前記分圧された電圧および／または前記電流の単位時間当たりの変化量に基づいて前記軌跡を判別するものであることを特徴とする請求項１または２記載のタッチパネル入力装置。
【請求項４】
前記分圧された電圧を測定する手段と前記電流を測定する手段とが、互いに異なる期間にそれぞれ測定を行うように構成されていることを特徴とする請求項１から３いずれか１項記載のタッチパネル入力装置。
【請求項５】
微小間隔を置いて対面する状態に配置された２枚の抵抗膜と、
一方の抵抗膜の互いに向き合う２辺の縁部に各々設けられた第１電極対と、
他方の抵抗膜の互いに向き合う２辺の縁部に、上記電極と直角になる向きに各々設けられた第２電極対とを備えてなるタッチパネル入力装置において、
前記第１電極対の間および第２電極対の間に電圧を印加し、
一方の抵抗膜を他方の抵抗膜に接触させるように２つの点でタッチがなされたとき、第１電極対間および第２電極対間についてタッチ点で分圧された電圧並びに、第１電極対間および第２電極対間に流れる電流を測定し、
それらの測定された電圧および電流の値に基づいて、２つのタッチ点の軌跡を判別することを特徴とするジェスチャ検出方法。
【請求項６】
前記軌跡を、前記分圧された電圧および／または前記電流の変化の方向に基づいて判別することを特徴とする請求項５記載のジェスチャ検出方法。
【請求項７】
前記軌跡を、前記分圧された電圧および／または前記電流の単位時間当たりの変化量に基づいて判別することを特徴とする請求項５または６記載のジェスチャ検出方法。
【請求項８】
前記分圧された電圧と前記電流とを、互いに異なる期間にそれぞれ測定することを特徴とする請求項５から７いずれか１項記載のジェスチャ検出方法。
【発明の詳細な説明】
【技術分野】
【０００１】
本発明はタッチパネル入力装置、特に詳細には、抵抗膜式のタッチパネル入力装置に関するものである。
【０００２】
また本発明は、そのようなタッチパネル入力装置を用いたジェスチャ検出方法に関するものである。
【背景技術】
【０００３】
従来、例えば特許文献１、２および３に示されるように、２次元に広がるタッチ入力面を有し、その上に指等で接触された点（タッチ点）の位置を検出できるようにした抵抗膜式のタッチパネル入力装置が公知になっている。
【０００４】
この種のタッチパネル入力装置は基本的に、微小間隔を置いて対面する状態に配置された２枚の抵抗膜と、一方の抵抗膜の互いに向き合う２辺の縁部に各々設けられた電極からなる電極対（Ｘ電極対）と、他方の抵抗膜の互いに向き合う２辺の縁部に、上記電極と直角になる向きに各々設けられた電極からなる電極対（Ｙ電極対）と、上記Ｘ電極対の間とＹ電極対の間に電圧を印加する手段と、一方の抵抗膜を他方の抵抗膜に接触させるようにタッチがなされたとき、Ｘ電極対間およびＹ電極対間についてタッチ点で分圧された電圧を測定する手段とから構成されたものである。
【０００５】
上記の構成において、Ｘ電極対間について測定される分圧された電圧は、該電極の一方からタッチ点までの間の抵抗膜の抵抗値、つまりはそれらの間の距離と対応しているので、この電圧を測定することによりタッチ点のＸ方向位置を検出することができる。これはＹ電極対間についても同様であって、それにより、タッチ点のＹ方向位置が検出される。こうしてタッチ点の２次元位置が検出可能となる。
【０００６】
なお、上記構成を有するタッチパネル入力装置において、２点が同時にタッチされると、上述のように測定される電圧は、それら２点の一方のみがタッチされたときの値と、それら２点の他方のみがタッチされたときの値との中間的な値を示すので、２点のほぼ中間点が検出されることになる。この点は、特許文献１、２および３のいずれにも記載がなされている。
【０００７】
他方、特に特許文献３には、上記構成のタッチパネル入力装置において２点が同時にタッチされた場合、その２点間の距離が検出可能であることも記載されている。すなわち、上記抵抗膜の一方における電極対間に電圧が印加されたとき、２点が同時にタッチされると、該電極間の抵抗値はこの抵抗膜の全抵抗値、２つの接触抵抗の値、および他方の抵抗膜における２点間の抵抗値とで決まることになる。したがって上記２点間の抵抗値と、電極対間に流れる電流値は対応することになり、また上記２点間の抵抗値は２点間の距離と比例しているので、この電極対間に流れる電流値を測定することにより２点間の距離を検出可能となる。
【０００８】
特許文献３はさらに、以上のことに基づいて、２つのタッチ点が互いに遠ざかるようなジェスチャや、互いに近付くようなジェスチャ、さらには２つのタッチ点がそのほぼ中間点を中心にして回転するジェスチャを検出可能であることも開示している。
【先行技術文献】
【特許文献】
【０００９】
【特許文献１】特開２０００−１０５６４５号公報
【特許文献２】特開２００７−１２２５２２号公報
【特許文献３】米国特許公開２００９／０３２２７００号公報
【発明の概要】
【発明が解決しようとする課題】
【００１０】
しかし特許文献３に示されたタッチパネル入力装置は、上述のもの以外のより複雑なジェスチャを検出可能としたものではなく、その点は、従来公知の抵抗膜式タッチパネル入力装置に共通して言えることである。
【００１１】
本発明は上記の事情に鑑みてなされたものであり、タッチされた２点による複雑なジェスチャを検出することができる、抵抗膜式のタッチパネル入力装置を提供することを目的とする。
【００１２】
また本発明は、そのようなタッチパネル入力装置を用いて、タッチされた２点による複雑なジェスチャを検出できる方法を提供することを目的とするものである。
【課題を解決するための手段】
【００１３】
本発明によるタッチパネル入力装置は、
微小間隔を置いて対面する状態に配置された２枚の抵抗膜と、
一方の抵抗膜の互いに向き合う２辺の縁部に各々設けられた電極からなる第１電極対と、
他方の抵抗膜の互いに向き合う２辺の縁部に、前記電極と直角になる向きに各々設けられた電極からなる第２電極対と、
前記第１電極対の間および第２電極対の間に電圧を印加する手段と、
一方の抵抗膜を他方の抵抗膜に接触させるように２つの点でタッチがなされたとき、第１電極対間および第２電極対間についてタッチ点で分圧された電圧を測定する手段と、
前記タッチがなされたとき、第１電極対間および第２電極対間に流れる電流を測定する手段と、
前記測定された電圧および電流の値に基づいて、２つのタッチ点の軌跡を判別する判別手段とを備えたことを特徴とするものである。
【００１４】
なお上記第１および第２の電極対は、先に説明した従来装置におけるＸ電極対およびＹ電極対と同様のものである。
【００１５】
なお上記判別手段は、上記分圧された電圧および／または上記電流の変化の方向に基づいて前記軌跡を判別するものとされるのが望ましい。さらに上記判別手段は、上記分圧された電圧および／または上記電流の単位時間当たりの変化量に基づいて前記軌跡を判別するものとされてもよい。
【００１６】
また、本発明によるタッチパネル入力装置においては、上記分圧された電圧を測定する手段と上記電流を測定する手段とが、互いに異なる期間にそれぞれ測定を行うように構成されていることが望ましい。
【００１７】
また、本発明によるジェスチャ検出方法は、
微小間隔を置いて対面する状態に配置された２枚の抵抗膜と、
一方の抵抗膜の互いに向き合う２辺の縁部に各々設けられた第１電極対と、
他方の抵抗膜の互いに向き合う２辺の縁部に、上記電極と直角になる向きに各々設けられた第２電極対とを備えてなるタッチパネル入力装置において、
前記第１電極対の間および第２電極対の間に電圧を印加し、
一方の抵抗膜を他方の抵抗膜に接触させるように２つの点でタッチがなされたとき、第１電極対間および第２電極対間についてタッチ点で分圧された電圧並びに、第１電極対間および第２電極対間に流れる電流を測定し、
それらの測定された電圧および電流の値に基づいて、２つのタッチ点の軌跡を判別することを特徴とするものである。
【００１８】
なお、この本発明によるジェスチャ検出方法においては、上記軌跡を、上記分圧された電圧および／または上記電流の変化の方向に基づいて判別することが望ましい。さらに上記軌跡を、上記分圧された電圧および／または上記電流の単位時間当たりの変化量に基づいて判別するようにしてもよい。
【００１９】
また、本発明によるジェスチャ検出方法においては、上記分圧された電圧と上記電流とを、互いに異なる期間にそれぞれ測定することが望ましい。
【発明の効果】
【００２０】
本発明のタッチパネル入力装置は、上述の通りの２枚の抵抗膜と、第１電極対と、第２電極対と、電圧印加手段と、電圧測定手段と、電流測定手段と、判別手段とを備えたものであるので、この判別手段は抵抗膜に２点でタッチがなされたとき、上記電圧測定手段が測定した電圧つまり、第１電極対間および第２電極対間についてタッチ点で分圧された電圧に基づいて２つのタッチ点の略中間点の位置を求め、また上記電流測定手段が測定した電流つまり、第１電極対間および第２電極対間に流れる電流に基づいて２つのタッチ点間の距離を知ることができる。このようにして、２つのタッチ点の略中間点の位置並びにそれらの点間の距離が分かれば、基本的に、２つのタッチ点が全体的にどのように移動しているか、そしてそのとき２つのタッチ点間の距離はどのように変化しているかを知ることができるので、従来装置では検出が不可能であった、２つのタッチ点による複雑なジェスチャを検出可能となる。
【００２１】
また、本発明によるジェスチャ検出方法は、上述の通りの２枚の抵抗膜と、第１電極対と、第２電極対とを備えてなるタッチパネル入力装置において、第１電極対の間および第２電極対の間に電圧を印加し、一方の抵抗膜を他方の抵抗膜に接触させるように２つの点でタッチがなされたとき、第１電極対間および第２電極対間についてタッチ点で分圧された電圧並びに、第１電極対間および第２電極対間に流れる電流を測定し、それらの測定された電圧および電流の値に基づいて２つのタッチ点の軌跡を判別するようにしているので、上記と同様にして、２つのタッチ点による複雑なジェスチャを検出可能となる。
【００２２】
なお、上記の分圧された電圧と上記電流とを、互いに異なる期間にそれぞれ測定する場合は、それらをより高精度に測定可能となる。
【図面の簡単な説明】
【００２３】
【図１】本発明の一実施形態によるタッチパネル入力装置の概略構成を示す斜視図
【図２】上記タッチパネル入力装置の電気的構成を示す回路図
【図３】上記タッチパネル入力装置における２枚の抵抗膜の状態を示す概略側面図
【図４】上記抵抗膜に１点でタッチがなされた状態を示す概略側面図
【図５】上記抵抗膜に２点でタッチがなされた状態を示す概略側面図
【図６】上記タッチパネル入力装置にタッチがなされないときの抵抗膜等の等価回路図
【図７】上記タッチパネル入力装置に１点でタッチがなされたときの抵抗膜等の等価回路図
【図８】上記タッチパネル入力装置に２点でタッチがなされたときの抵抗膜等の等価回路図
【図９】上記タッチパネル入力装置におけるタッチ点の軌跡例を示す概略図
【発明を実施するための形態】
【００２４】
以下、図面を参照して本発明の実施形態を詳細に説明する。図１は、本発明の一実施形態によるタッチパネル入力装置１の概略構成を示すものである。このタッチパネル入力装置１は、基板１０上に配置された四辺形状の抵抗膜１１と、この抵抗膜１１の上に微小間隔を置いて配置されたカバーシートとしての抵抗膜１２と、抵抗膜１１の図中左右の辺の縁部に各々該抵抗膜１１と電気的に導通する状態にして固定された電極１３、１４と、抵抗膜１２の図中上下の辺の縁部に各々該抵抗膜１２と電気的に導通する状態にして固定された電極１５、１６とを有している。上記電極１３〜１６は制御回路２０に接続され、この制御回路２０には直流電源２１および判別部２２が接続されている。
【００２５】
抵抗膜１１、１２は、例えばポリエチレンテレフタレート（ＰＥＴ）等からなる薄いフィルム状の支持体上に、一様な電気抵抗率を有する導電性膜が層状に形成されてなるものである。これらの抵抗膜１１、１２は、上記導電性膜が形成された面が対面する状態に配され、図示外の絶縁性スペーサを両者の間に介設する等により、常時は上述のように互いに微小間隔を置いて向き合うように配設されている。なお抵抗膜１１の方は、上述の支持体は用いずに、基板１０上の上に直接塗膜として形成されてもよい。
【００２６】
また、基板１０が例えばその上面に液晶表示素子等の表示素子を形成しているものである場合は、そこに表示される内容と、タッチパネル入力装置１による入力とを連係させることができる。そうする場合は、抵抗膜１１、１２を透明材料から形成することが望まれるが、そのような透明な抵抗膜１１、１２は例えば酸化インジウムスズ（ＩＴＯ）、導電性ポリマー、炭素ナノチューブ含有膜等を用いて構成することができる。
【００２７】
上記の電極１３および１４は図１のＸ方向、つまり抵抗膜１１、１２の図中上下の辺と平行な方向に向き合っており、これらの電極１３および１４の対をＸ電極対（第１電極対）と称する。他方電極１５および１６は上記Ｘ方向と直角なＹ方向、つまり抵抗膜１１、１２の図中左右の辺と平行な方向に向き合っており、これらの電極１５および１６の対をＹ電極対（第２電極対）と称する。
【００２８】
次に図２を参照して、制御回路２０について詳しく説明する。ここに示される通り制御回路２０は、後述する分圧された直流電圧を測定する電圧計３０と、この電圧計３０の出力を所定の範囲内の電圧信号に変換する変換回路３１と、この変換回路３１が出力するアナログ信号をデジタル信号に変換するＡ／Ｄ変換器３２とを有している。またこの制御回路２０は、後述する直流電流を測定する電流計４０と、この電流計４０の出力を所定の範囲内の電圧信号に変換する変換回路４１と、この変換回路４１が出力するアナログ信号をデジタル信号に変換するＡ／Ｄ変換器４２とを有している。
【００２９】
さらにこの制御回路２０は、一方の抵抗膜１１に固定された電極１３を直流電源２１に接続する経路に設けられたスイッチＳＷ１と、他方の抵抗膜１２に固定された電極１５を直流電源２１に接続する経路に設けられたスイッチＳＷ２と、それら２つの経路のいずれかを選択的に前記電圧計３０に接続する状態および、該経路のいずれをも電圧計３０に接続しない状態（中間位置）を取り得るスイッチＳＷ３と、一方の抵抗膜１１に固定された電極１４を電流計４０に接続する経路に設けられたスイッチＳＷ４と、他方の抵抗膜１２に固定された電極１６を電流計４０に接続する経路に設けられたスイッチＳＷ５と、これらのスイッチＳＷ４、ＳＷ５を電流計４０に接続する状態と、接地させる状態とを選択的に取り得るスイッチＳＷ６とを有している。
【００３０】
以上の通りの制御回路２０は、ディスクリート回路から構成されてもよいし、あるいは集積回路から構成されてもよい。また図１に示した判別部２２は、一般にはマイクロコンピュータ等から構成される。
【００３１】
次に、このタッチパネル入力装置１の作用について説明する。このタッチパネル入力装置１の表側の抵抗膜１１にタッチがなされていない状態を、図３の概略断面図に示す。また図４には、上記抵抗膜１１に１つの点５０でタッチがなされた状態を概略的に示し、そして図５には、上記抵抗膜１１に２つの点５１、５２でタッチがなされた状態を概略的に示す。
【００３２】
上述のようなタッチ点は、以下の通りにして検出される。図２に示した制御回路２０はタッチ入力を検出する際、次の（a）〜（d）の期間に、包含するスイッチ類を以下の通りに設定する。
【００３３】
（a）スイッチＳＷ１：閉、スイッチＳＷ２：開、スイッチＳＷ３：電極１５と接続、スイッチＳＷ４：閉、スイッチＳＷ５：開、スイッチＳＷ６：接地側と接続
（b）スイッチＳＷ１、ＳＷ２、ＳＷ４およびＳＷ５は（a）期間と同じ状態、スイッチＳＷ３：中間位置（電極１３、１５のいずれにも接続しない状態）、スイッチＳＷ６：電流計４０側と接続
（c）スイッチＳＷ１：開、スイッチＳＷ２：閉、スイッチＳＷ３：電極１３と接続、スイッチＳＷ４：開、スイッチＳＷ５：閉、スイッチＳＷ６：接地側と接続
（d）スイッチＳＷ１、ＳＷ２、ＳＷ４およびＳＷ５は（c）期間と同じ状態、スイッチＳＷ３：中間位置、スイッチＳＷ６：電流計４０側と接続
そしてこれらの期間（a）〜（d）の長さはそれぞれ所定の微小時間とされ、期間（a）、（b）、（c）、（d）、（a）、（b）・・・・というように周期的に繰り返して設定される。なお図２は、上記（a）の期間における状態を示している。
【００３４】
上記（a）、（b）の期間ではそれぞれ、Ｘ方向に関してタッチ点の位置、タッチ点の間隔が求められ、（c）、（d）の期間ではそれぞれ、Ｙ方向に関してタッチ点の位置、タッチ点の間隔が求められる。
【００３５】
すなわち、まず（a）の期間では、図４のように１点のタッチ入力であると、そのときの抵抗膜１１、１２等の等価回路は図６に示すものとなる。なお同図において、Ｒｘは抵抗膜１１の抵抗、Ｒｙは抵抗膜１２の抵抗、Ｒｔは接触抵抗を示している（以下、同様）。このとき直流電源２１によって、抵抗膜１１の電極１３および１４の間に印加されている直流電圧は、タッチ点５０において分圧され、接触抵抗Ｒｔおよび抵抗膜１２の抵抗Ｒｙを介して、その分圧された電圧が電圧計３０によって測定される。上記分圧された電圧は、電極１３からタッチ点までの間の抵抗膜１１の抵抗、つまりはその間の距離に対応するので、電圧計３０が測定した電圧に基づいて電極１３からタッチ点までの距離、つまりタッチ点のＸ方向位置を求めることができる。
【００３６】
一方、（a）の期間において、図５のように２点のタッチ入力がなされていると、そのときの抵抗膜１１、１２等の等価回路は図７に示すものとなる。なお同図において、Ｒｔ１、Ｒｔ２は接触抵抗を示している。このとき２つのタッチ点で分圧された電圧は、一方のタッチ点のみで分圧された場合の電圧と、他方のタッチ点のみで分圧された場合の電圧とのほぼ中間的な値を取るので、この場合は、電圧計３０が測定した電圧に基づいて、電極１３から２つのタッチ点のほぼ中間点までの距離、つまり概略その中間点のＸ方向位置を求めることができる。
【００３７】
次に上記（b）の期間において、図５のように２点のタッチ入力がなされていると、そのときの抵抗膜１１、１２等の等価回路は図８に示すものとなる。したがってこの場合は、電極１３と電極１４との間に流れる直流電流が、電流計４０によって測定される。このとき、電極１３と電極１４との間の抵抗は、抵抗膜１１自身の抵抗Ｒｘと、その一部に対して並列に接続している接触抵抗Ｒｔ１、接触抵抗Ｒｔ２並びに、抵抗膜１２のタッチ点間の抵抗Ｒｙ０との合成抵抗となる。そして上記タッチ点間の抵抗Ｒｙ０は、２つのタッチ点間のＸ方向距離に比例するので、上記電流計４０によって測定される電流に基づいて、２つのタッチ点間のＸ方向距離を知ることができる。
【００３８】
なお、前述した特許文献３にも記載されているように、２点でタッチ入力がなされたときの上記合成抵抗は、１点でタッチ入力がなされたとき、あるいはタッチがなされていないときの合成抵抗と比べて、明らかに低い値を取る。そこで、上記電流計４０の出力信号を閾値処理することにより、タッチ入力無しあるいは１点タッチの状態か、あるいは２点タッチの状態であるかを判別することも可能である。
【００３９】
以上、期間（a）および（b）において、Ｘ方向に関する１つのタッチ点の位置、２つのタッチ点のほぼ中間点の位置、および２つのタッチ点間の距離の検出について説明したが、期間（c）および（d）においては、Ｙ方向に関して同様に１つのタッチ点の位置、２つのタッチ点のほぼ中間点の位置、および２つのタッチ点間の距離が検出される。それらの検出の仕方は、上述したＸ方向に関する場合と同様であるので、詳しい説明は省略する。
【００４０】
電圧計３０の出力信号は、図２に示す変換回路３１によって所定の範囲内の電圧信号に変換され、次いでＡ／Ｄ変換器３２によりＡ／Ｄ変換され、１つのタッチ点の位置あるいは２つのタッチ点のほぼ中間点のＸおよびＹ方向位置を示すデジタル信号Ｄｖとして出力される。また電流計４０の出力信号は、図２に示す変換回路４１によって所定の範囲内の電圧信号に変換され、次いでＡ／Ｄ変換器４２によりＡ／Ｄ変換され、２つのタッチ点間のＸおよびＹ方向に関する距離を示すデジタル信号Ｄｉとして出力される。
【００４１】
上述したように２つのタッチ点のほぼ中間点の位置を示すデジタル信号Ｄｖおよび、２つのタッチ点間の距離を示すデジタル信号Ｄｉは判別部２２に入力され、該判別部２２はそれらの信号ＤｖおよびＤｉの時間経過に伴う変化に基づいて、２つのタッチ点５１、５２の軌跡を判別する。
【００４２】
すなわち、デジタル信号Ｄｖは２つのタッチ点のほぼ中間点のＸ方向位置を示す成分と、Ｙ方向位置を示す成分とが所定の周期で繰り返すものとなるので、判別部２２はそれらの各成分の値、および各成分の変化の方向に基づいて、上記中間点つまりは２つのタッチ点がＸおよびＹ方向に関して、どの位置からどの方向に移動しているかを検出することができる。このとき、２つのタッチ点の移動速度がより大であれば、上記各成分の単位時間当たりの変化量もより大きくなるので、この単位時間当たりの変化量に基づいてタッチ点の移動速度も検出可能である。
【００４３】
また、デジタル信号Ｄｉは２つのタッチ点間のＸ方向距離を示す成分と、Ｙ方向距離を示す成分とが所定の周期で繰り返すものとなるので、判別部２２はそれらの各成分の値、および各成分の変化の方向に基づいて、２つのタッチ点間のＸ方向距離およびＹ方向距離が、どれだけの値からどのように増大あるいは減少しているかを検出することができる。このとき、２つのタッチ点間の距離の変化速度がより大であれば、上記各成分の単位時間当たりの変化量もより大きくなるので、この単位時間当たりの変化量に基づいて、２つのタッチ点間の距離の変化速度も検出可能である。
【００４４】
以上のようにして判別部２２によれば、例えば図９の（１）、（２）、（３）および（４）に矢印で示すような２つのタッチ点５１、５２の軌跡、つまり例えば２本の指で抵抗膜１２上においてなされるジェスチャを判別可能となる。判別部２２は、そのようにして検出したジェスチャを示す判別信号Ｄoutを出力する。
【００４５】
なお図９における５３は、上記デジタル信号Ｄｖにより、２つのタッチ点５１、５２のほぼ中間の点として示される点を示している。また、判別部２２が判別可能であるタッチ点５１、５２の軌跡は、勿論、図９に示したものに限られる訳ではない。
【００４６】
図９に示すようなジェスチャは、何らかの処理を行う上でのトリガとして利用することができる。一例として、基板１０がいわゆる電子ブックを表示する表示素子を表面に備えたものである場合は、例えば同図（１）のジェスチャは表示範囲を下方向にスクロールするためのトリガとして、（２）のジェスチャはページを一時閉じるためのトリガとして、（３）のジェスチャはページ送りをロックするためのトリガとして、（４）のジェスチャはページ送りをするためのトリガとして使用することができる。
【００４７】
また、基板１０がいわゆる電子ゲームの表示画面となる表示素子を表面に備えたものである場合は、２つのタッチ点の軌跡をそのまま表示素子に表示させて、例えば砂の上に２本の指で文字や図形を描かせるようなシーンを作り出すことができる。
【００４８】
なお、以上説明した実施形態においては、電圧計３０による電圧検出と、電流計４０による電流検出とを時間を分けて別個に行っているが、それらの検出は同時に行うようにしてもよい。
【符号の説明】
【００４９】
１      タッチパネル入力装置
１０    基板
１１、１２    抵抗膜
１３、１４、１５、１６    電極
２０    制御回路
２１    直流電源
２２    判別部
３０    電圧計
３１、４１    変換回路
３２、４２    Ａ／Ｄ変換器
５１、５２    タッチ点
５３    中間点
【図１】
2012088762.tif 000003
【図２】
2012088762.tif 000004
【図３】
2012088762.tif 000005
【図４】
2012088762.tif 000006
【図５】
2012088762.tif 000007
【図６】
2012088762.tif 000008
【図７】
2012088762.tif 000009
【図８】
2012088762.tif 000010
【図９】
2012088762.tif 000011